Podtech/llm-jp-corpus-v4-ja_patent huggingface dataset:
(57)【要約】      （修正有）【課題】西洋便器の便座を持ち上げての使用時に生じる小便、受け水等の飛沫を軽減する飛散軽減板を提供する。【解決手段】西洋便器便座の下面又は側面に飛沫の飛散軽減を図る板を設け、便座の取付け軸を支点として、便座不使用時に便座を持ち上げたときに左右を囲う飛散軽減板を設ける。この飛散軽減板２，３の設置により、従来、左右の壁面や床に飛散していた小便の飛沫や受け水の飛沫が、飛散軽減板２，３の飛沫受け面５，６にほぼ集中するから、西洋便器で男子が小便をする際の飛沫の衛生上、清掃上の管理が容易となる。【選択図】図１
0003148227.tif 000002
【実用新案登録請求の範囲】
【請求項１】
洋式便器の便座を持ち上げての男子小便使用時に、飛沫の飛散を軽減するために、便座の持ち上げ回転軸を支点として上下する、便座の左右の下部に設けた飛散軽減板。
【請求項２】
飛散軽減板を便座下面に接着し、又は便座の側面にネジ、接着剤等にて取り付け、又は便座と一体構造にて製作する飛散軽減板の設置取付けの方法。
【請求項３】
飛散軽減板と取付け構造を含む便座を、抗菌素材を用いて製造する事も含む。
【請求項４】
飛散軽減板の製作素材は、小便の飛散を軽減できればよい。よって、素材は樹脂、金属、木材、紙等、何れを選択しても目的が達せられればよい。
【請求項５】
飛散軽減板の飛沫受け面に、飛沫吸収を目的とした吸取り紙等の取り付け機構を設けて吸取り紙等の交換を容易にした飛散軽減板の構造を含む。
【考案の詳細な説明】
【技術分野】
【０００１】  本考案は、西洋便器の便座を持ち上げて男子が小便をする際の、飛沫の飛散軽減の目的で設置取付ける飛散軽減板に関する。
【技術背景】
【０００２】  従来の西洋便器設置状況では男子が便座を持ち上げて小便をする際に、小便や便器内の受け水の飛沫が左右の壁や床に飛散するため、衛生上も清掃上も好ましくない状態が続いてきた。男子に便座に座って小便をするように強要される状況も間々見られる。
【考案の開示】
【考案が解決しようとする課題】
【０００３】  然しながら男子が西洋便器の便座を持ち上げた状態で小便をする際に生じる飛沫や、便器内の受け水の飛沫は、通常の照準放出の状態であれば、対面の便器蓋裏や便座裏や実施者にかかる他は、左右に飛散するから、この飛沫を受ける飛散軽減板を設ければ、広く飛散していた小便や、便器内の受け水が飛散するのを大幅に軽減でき、衛生上も改善され、清掃上も便器と飛散軽減板の受け面を重点的に清掃する事で容易となる。飛散軽減板を消耗品として使い捨てる事や、飛散軽減板の飛沫受け面に、飛沫吸収を目的とした吸取り紙等の取り付け機構を設けて吸取り紙等の交換を容易にした飛散軽減板の構造も衛生上効果的である。
【課題を解決するための手段】
【０００４】  この目的を達するために、便座（１）の裏面又は側面に飛散軽減板（２）（３）を両面接着テープ、接着剤、又は、ネジで取付け、又は、一体構造で製造して設ける事を考案した（図１）。
この装置により、男子が便座を持ち上げて使用するときは便座（１）が約９０度以上即ち、手前に倒れない範囲まで持ち上げるので、飛散軽減板（２）（３）は便座の取付け軸（４）を支点として立ち上がり、飛散軽減板（２）（３）が持ち上げられた便座（１）の左右を囲う状態になる。（図２）。この左右の飛散軽減板（２）（３）は便座（１）を持ち上げない状態では西洋便器の便座（１）後方下部に下がっているため、便座（１）使用に支障は無いし、飛沫受け面（５）（６）も座位から見ると裏面になるので、衛生上も、使用上の不快感も少ない（図３）。（７）は西洋便器本体を、（８−１〜４）は便座の足を示す。
【考案の効果】
【０００５】  この飛散軽減板（２）（３）の設置により、従来、左右の壁面や床に飛散していた小便の飛沫や受け水の飛沫が、飛散軽減板（２）（３）の飛沫受け面（５）（６）にほぼ集中するから、西洋便器で男子が小便をする際の飛沫の衛生上、清掃上の管理が容易となる。
【考案を実施するための最良の形態】
【０００６】  本考案に係る飛散軽減板（２）（３）は、（図１）に示すように、便座（１）の下部、左右に設け、便座（１）を男子使用時に取付け軸（４）を支点として持ち上げた際に、便座（１）下部の左右を囲う状態で考案の目的を達する。
【図面の簡単な説明】
【０００７】
【図１】  本考案に係る飛散軽減板が便座を持ち上げ使用時に左右飛沫軽減位置にあることを示す立体図
【図２】  本考案に係る飛散軽減板を使用するときの側面図
【図３】  本考案の飛散軽減板の不使用時、即ち、便座使用時の側面図。
【図４】  本考案の取付け方法の一例を示す立体図で、便座に飛散軽減板ねじ留め台座を予め製造時に設け、飛散軽減板をねじ留めした一例を示す。
【符号の説明】
【０００８】    １    西洋便器の便座
２    飛散軽減板
３    飛散軽減板
４    便座の取付け軸
５    飛沫受け面
６    飛沫受け面
７    西洋便器本体      ８−１〜４    便座の足
【図１】
0003148227.tif 000003
【図２】
0003148227.tif 000004
【図３】
0003148227.tif 000005
【図４】
0003148227.tif 000006
【手続補正書】
【提出日】平成20年11月7日(2008.11.7)
【手続補正１】
【補正対象書類名】実用新案登録請求の範囲
【補正対象項目名】全文
【補正方法】変更
【補正の内容】
【実用新案登録請求の範囲】
【請求項１】
洋式便器の便座を持ち上げての男子小便使用時に、飛沫の飛散を軽減するために、便座の持ち上げ回転軸を支点として上下する便座の左右の下部に設けた飛散軽減板。
【請求項２】
飛散軽減板を便座下面に接着剤やネジにて取り付け、又は便座と一体構造にて製作することを特徴とする請求項１記載の飛散軽減板。
【請求項３】
飛散軽減板と取付け構造を含む便座が、抗菌素材から成る請求項１記載の飛散軽減板。
【請求項４】
飛散軽減板の製作素材は、小便の飛散を軽減できればよいので、素材は樹脂、金属、木材、紙の何れからか成ることを特徴とする請求項１記載の飛散軽減板。
【請求項５】
飛散軽減板の飛沫受け面に、飛沫吸収を目的とした吸取り紙等の取り付け機構を設けて吸取り紙等の交換を容易にしたことを特徴とする請求項１記載の飛散軽減板。
(57)【要約】      （修正有）【課題】有害物質が侵入するのを防止し、印刷された用紙あるいは現像された銀塩写真を長期間展示することを可能にした写真立てを提供する【解決手段】印刷された用紙あるいは現像された銀塩写真を片面をアクリル樹脂に固定し、その上にモノマーのエポキシ樹脂を塗布し、やがて、モノマーのエポキシ樹脂がポリマーに変化すると印刷物あるいは写真が完全にポリマーのエポキシ樹脂とアクリル樹脂との間に固定され透き間の無い写真立てができる。【選択図】図２
0003148225.tif 000002
【実用新案登録請求の範囲】
【請求項１】
印刷された用紙あるいは現像された銀塩写真をエポキシ樹脂とアクリル樹脂の間に挟み封入して作る写真立て。
【考案の詳細な説明】
【技術分野】
【０００１】  本考案は、印刷された用紙あるいは現像された銀塩写真をエポキシ樹脂とアクリル樹脂の間に挟んで作る写真立て関するものである。
【背景技術】
【０００２】  従来から印刷された用紙あるいは現像された銀塩写真を二枚の透明ガラス又は透明プラスチックで挟み、展示する写真立ては存在した。
【考案が解決しようとする課題】
【０００３】  しかし、この方法で作った写真立ては、二枚のガラス又はプラスチック樹脂を固定するため留め金具を必要とした。さらに長時間展示すると画像を変退色させる有害物質が二枚のガラス又はプラスチック樹脂の透き間から浸入し画像を破損させてしまう。
【課題を解決するための手段】
【０００４】  そこで、印刷された用紙あるいは現像された銀塩写真をエポキシ樹脂とアクリル樹脂の間に封入することによって画像を破損させる有害物質から隔離し課題を解決した。
【実施例】
【０００５】  印刷された用紙あるいは現像された銀塩写真を図２の２の様に特許公開２００２−１４９１０１号の技術で片面をアクリル樹脂に固定する。
【参考資料１】
特許公開２００２−１４９１０１号
【０００６】  印刷された用紙あるいは現像された銀塩写真の片面をアクリル樹脂に固定されたら、モノマーの透明エポキシ樹脂を印刷された用紙あるいは現像された銀塩写真の上に塗布する。
【０００８】  モノマーのエポキシ樹脂がポリマーのエポキシ樹脂に変化したなら成形する。
【考案の効果】
【０００９】  本考案は、特許公開２００２−１４９１０１号の技術を応用し製作するため、印刷された用紙あるいは現像された銀塩写真を長期間展示することが可能となった。さらに、浴室など湿気の多いところに写真等を展示することができるようになった。
【図面の簡単な説明】
【図１】    本考案に係る左上部よりの鳥瞰図である。
【図２】    本考案に係る側面図である。
【符号の説明】
１・・・・特許公開２００２−１４９１０１の技術で印刷物あるいは写真を固定するアクリル樹脂
２・・・・特許公開２００２−１４９１０１の技術でアクリル樹脂に片面を固定された印刷物あるいは写真
３・・・・２の上に塗布された透明エポキシ樹脂
【図１】
0003148225.tif 000003
【図２】
0003148225.tif 000004
【手続補正書】
【提出日】平成20年10月31日(2008.10.31)
【手続補正１】
【補正対象書類名】図面
【補正対象項目名】図１
【補正方法】変更
【補正の内容】
【図１】
0003148225.tif 000005
(57)【要約】      （修正有）【課題】道路工事などで片側交通で車の誘導を２人で行うときに片手に無線機片手に手旗で歩行者、運転手に確実に表示できる可変手旗を提供する。【解決手段】無線機と旗２本を両手に持てないので１本の旗棒に赤白の旗を取り付けパイプの移動で交互に旗の表示ができる。旗を１８０度回転して体に旗棒を当ててパイプを手前に引くと旗が瞬時に変わり、パイプの移動で旗の一部が見えるが９５％旗を隠せる。昼間の片側交通で車の誘導を２人で行うときに無線機と可変手旗で正確に誘導できる。【選択図】図１
0003148222.tif 000002
【実用新案登録請求の範囲】
【請求項１】
１本の旗竿に赤旗白旗を取り付け、旗竿にパイプを通しパイプを移動してパイプの中に交互旗を隠し瞬時に片方の旗を表示する。
【考案の詳細な説明】
【技術分野】
【０００１】  道路工事などで片側交通で車の誘導を２人で行うときに片手に無線機片手に可変手旗で歩行者、運転手に確実に表示できる。
【背景技術】
【０００２】  交通誘導で赤い灯火棒で誘導を行っているが誘導員に依って灯火棒の振り方がまちまちである。
【考案が解決しようとする課題】
【０００３】  誘導員が片手で紅白の旗を自在に表示して正確な指示が出来るように。
【考案が解決するための手段】
【０００４】  無線機と赤旗白旗の３品を両手で持てないので１本の棒に紅白の旗を取り付けパイプの移動で片側を表示し片手で旗を操作できる。
【０００５】  旗を１８０度回転して体に旗棒を当ててパイプを手前に引くと旗が瞬時に変わり、パイプの移動で旗の一部が見えるが９５％旗を隠せる。
【考案の効果】
【０００６】  昼間の片側交通で車の誘導を２人で行うときに無線機と可変手旗で正確に誘導できる。
【図面の簡単な説明】
【０００７】
【図１】可変手旗全体図  赤旗白旗にパイプを通した全体図
【図２】使用図  パイプを移動する事で旗が変わる。
【図面の符号の説明】
【０００８】  １  白旗
２  赤旗
３  旗棒
４  移動パイプ
５  パイプ止め
【図１】
0003148222.tif 000003
【図２】
0003148222.tif 000004
【手続補正書】
【提出日】平成20年9月3日(2008.9.3)
【手続補正１】
【補正対象書類名】実用新案登録請求の範囲
【補正対象項目名】全文
【補正方法】変更
【補正の内容】
【実用新案登録請求の範囲】
【請求項１】
一本の旗竿に赤旗白旗を取り付けた旗竿をパイプの中に通し両端に脱落防止金具を取り付け、パイプの部分が旗竿の握り柄になりパイプの移動により片方の旗を表示する可変。
【手続補正書】
【提出日】平成20年11月6日(2008.11.6)
【手続補正１】
【補正対象書類名】実用新案登録請求の範囲
【補正対象項目名】全文
【補正方法】変更
【補正の内容】
【実用新案登録請求の範囲】
【請求項１】
一本の旗竿に赤旗白旗を取り付けた旗竿をパイプの中に通し両端に脱落防止金具を取り付け、パイプの部分が旗竿の握り柄になりパイプの移動により片方の旗を表示する可変手旗。
(57)【要約】      （修正有）【課題】道路掘削を行うことなく、道路上から窄孔機を用いマンホール開口部より窄孔ボルトで、底版を貫通して非液状化層の所定深さまで窄孔して、固化剤を注入してアンカーを構築し、短時間で安全に施工することができるマンホールの地震時浮き上がり防止構造を提供する。【解決手段】マンホールの蓋を開けて開口部から、窄孔ボルト１０をセンターロッドとし２重管掘りで場所打ちコンクリート底版５、底版３、基礎栗石４を貫通し、次に土中を掘進して、非液状化層９ｃの所定深さまで窄孔した後、窄孔ボルトを残して外管を引き抜きつつ固化材１５を注入してアンカーとし、窄孔ボルト頂部は場所打ちコンクリート底版５上面で座金、ナットで固定する。【選択図】図１
0003148230.tif 000002
【実用新案登録請求の範囲】
【請求項１】
下水道マンホールの場所打ちコンクリート底版上に、下水路を挟んで対称位置より窄孔ボルトで該底版、底版を貫通し、外管で土の崩壊を防ぎつつ液状化層を窄孔し、さらに非液状化層の所定深さまで窄孔した後、窄孔ボルトを残して、外管を引き抜きつつ固化材を注入してなる杭状のアンカーを形成し、窄孔ボルト頂部は場所打ちコンクリート底版上面で座金・ナットで固定してなることを特徴とした地震時マンホール浮き上がり防止構造
【請求項２】
アンカーは場所打ちコンクリート底版上面に下水路を挟んで対称に複数本配置して、アンカー頂部は下水路上面に置かれることを特徴とするマンホール浮き上がり防止構造
【考案の詳細な説明】
【技術分野】
【０００１】  本考案は、下水道マンホールが地震時に周辺地盤が液状化して自重を超える浮力が生じ、浮き上がるのを防止するための構造に関するものである。
【背景技術】
【０００２】  下水道マンホールは、管渠の維持管理、管渠の段差・勾配・方向転換等のため用いられるが、最近各地の地震被害でマンホールの浮き上がりが多発している。このため、管渠が逆勾配となり下水道の機能が失われ，また路面が盛り上がる交通障害が生じている。この原因は、マンホールの周辺地盤が砂層で地下水位が高い場合、地震動により砂層が液状化して自重を上回る浮力が生じるためである。
この対策として、マンホールの自重増加、窄孔ボルト・鋼棒等により非液状化層にアンカーする、マンホール周辺地盤改良等の方法などがあるが、構造、施工性、安全性等に課題があり更なる検討が必要である。
【考案の開示】
【考案が解決しようとする課題】
【０００３】  マンホールの浮き上がり防止方法として、１）マンホール周辺地盤を掘削して液状化し難い砕石に入れ替える、２）マンホール周辺の地盤改良、３）マンホール外周から鋼棒等で非液状化層にアンカーする方法等がある。いずれの方法も道路掘削を伴う作業となるため交通規制の時間が長くかかるため、道路上の作業時間が短縮できるさらに合理的な方法が望まれている。
本案は道路掘削を行うことなく、道路上から窄孔機を用いマンホール開口部より窄孔ボルトで、底版を貫通して非液状化層の所定深さまで窄孔して、固化剤を注入してアンカーを構築するので、より短時間に安全に施工することができる。
【解決するための手段】
【０００４】  本考案は、道路上のマンホール開口部から窄孔ボルトにより底版を窄孔し、さらに２重管で土中を窄孔して非液状化層の所定深さまで入れ、ボルトの周囲に固化材を注入してアンカーを構築する。底版中心位置から搾孔してアンカーを設置する場合は下水路内となるため、アンカー頂部定着のため一定時間は下水管の遮断が必要となる。本考案ではアンカー頂部は下水路を避けて場所打ちコンクリート底版上面に配置しているので下水路と関係なくドライ施工できる。、アンカー頂部は座金・ナットで固定し、さらにキャップで防食する。
【考案の効果】
【０００５】  本案によれば、マンホールの外周地盤にアンカーを取り付ける場合に比べ、道路掘削の必要がなく施工時間が短く交通規制は最小で済み、施工時の安全性・確実性は高い。、また浮力が生じている底版面にアンカーを取り付けるので、地震時の浮き上がり防止効果に優れている。アンカー頂部は下水路を避け場所打ちコンクリート底版上でドライ施工できる。
【考案を実施するための最良の形態】
【０００６】  マンホール開口部から窄孔ボルトをセンターロッドとし二重管掘りで施工する。場所打ちコンクリート底版・底版を貫通して、土中の液状化層を貫き、非液状化層の所定深さまで窄孔する。次に外管を引き抜きながら固化材を注入しボルト周囲を杭状に固めてアンカーを設ける。アンカー頂部は座金・ナットで固定し、防食のためキヤップを付ける。アンカーは水路を挟んで対称に複数本設ける。
【実施例】
【０００７】  以下添付図面に従い実施例を説明する。
図１［Ａ］は既設マンホールを示し、１はマンホール、２はマンホール蓋、５は場所打ちコンクリート底版、３は底版、４は基礎砕石、６は下水管、７は下水路である。マンホールを設置する地盤が砂層９ｂで地下水位８が高い場合は液状化を起こしやすい。
施工は、マンホール蓋２を開けて開口部より、自窄孔ボルト１０をセンターロッドとし二重管堀りで施工、場所打ちコンクリート底版５・底版３・基礎栗石４を貫通し、土中を液状化層９ｂから非液状化層９ｃの所定深さまで窄孔する。次に外管を引き抜きながら固化材１５を注入して杭状のアンカーを設ける。アンカーは図２のように下水路７を挟んで対称に複数本設ける。アンカー頂部は図３に示すように座金１２ａ・ナット１２ｂ・１２ｃで固定し、キャップ１３で防食する。
【図面の簡単な説明】
【０００８】
【図１】［Ａ］は図２に示すＩ−Ｉ線のマンホール縦断面図、［Ｂ］はマンホール周辺の土質柱状図
【図２】は図１［Ａ］に示すＩＩ−ＩＩ線のマンホール横断面図、
【図３】はアンカー頂部及び先端部の拡大断面図
【符号の説明】
【０００９】１  下水道マンホール
２  マンホール蓋
３  底版
４  基礎砕石
５  場所打ちコンクリート底版
６  下水管
７  下水路
８  周辺地盤の地下水位
９ａ  舗装
９ｂ  液状化しやすい砂層
９ｃ  非液状化層
１０  窄孔ボルト
１１  先端リングビット
１２ａ  座金
１２ｂ  ６角ナット〔球面〕
１２ｃ  ６角ナット
１３  キヤップ
１４  窄孔壁
１５  固化材
１６  充填剤
【図１】
0003148230.tif 000003
【図２】
0003148230.tif 000004
【図３】
0003148230.tif 000005
【手続補正書】
【提出日】平成20年12月1日(2008.12.1)
【手続補正２】
【補正対象書類名】実用新案登録請求の範囲
【補正対象項目名】全文
【補正方法】変更
【補正の内容】
【実用新案登録請求の範囲】
【請求項１】
下水道マンホールの場所打ちコンクリート底版上に、下水路を挟んで対称位置より窄孔ボルトで該底版、底版を貫通し、外管で土の崩壊を防ぎつつ液状化層を窄孔し、さらに非液状化層の所定深さまで窄孔した後、窄孔ボルトを残して、外管を引き抜きつつ固化材を注入してなる杭状のアンカーを形成し、窄孔ボルト頂部は場所打ちコンクリート底版上面で座金・ナットで固定してなることを特徴とした地震時マンホール浮き上がり防止構造。
【請求項２】
アンカーは場所打ちコンクリート底版上面に下水路を挟んで対称に複数本配置して、アンカー頂部は下水路上面に置かれることを特徴とする請求項１記載のマンホール浮き上がり防止構造。
(57)【要約】      （修正有）【課題】人間が潜水することなく水中の観察を可能とする水中カメラであり、船の走行時の水中カメラの揺れを解消し、撮影場所の移動の度に潜水させた水中カメラを船上に引き上げる煩雑さを解消し広範囲に渡っての観察を可能にする舵装置を提供する。【解決手段】潜水させた水中カメラを船上のモニターテレビと伝送路で接続し、潜水させた水中カメラを移動させながら広範囲にわたり水中を観察する場合において、水中カメラの移動方向の安定性を保持するために水中カメラ本体に舵を取り付け、またカメラ本体の流れをくい止めるために船の舳から前方に長い竹竿を突き出し、その先端から水中カメラへとロープで継ぎとめることにより水中カメラの定位置を保持可能にし、撮影場所の移動の度に水中カメラを船上に引き上げる煩雑さを解消したものであり、海難事故行方不明者の捜索や漁業者の漁場確保の確実性を効果的にする。【選択図】図１
0003148204.tif 000002
【実用新案登録請求の範囲】
【請求項１】
船上に据え付けたモニターテレビと伝送路で接続して潜水させた水中カメラを水中で移動させながら広範囲にわたり水中を観察する場合において、水中カメラの移動方向の安定性を保持するために水中カメラ本体に舵を取り付けた水中カメラ舵装置。
【請求項２】
船から吊るし下げ潜水させた水中カメラは船が前進すると後部方向に流され観察する目的物が特定できないため、このカメラ本体の流れをくい止めるために船の舳から前方に長い竹竿を突き出しその先端から水中カメラへとロープで継ぎとめることにより船が前進しても水中カメラが定位置を保持できる請求項１に記載の水中カメラ舵装置。
【考案の詳細な説明】
【技術分野】
【０００１】
従来は船から水中に吊るし下げられた水中カメラは船が前進すると水流により振動するため目的物を特定できなかったが、本考案は船が移動中でも広範囲にわたり安定して観察することを可能とした装置を提供する。
【背景技術】
【０００２】
この改善策として水中カメラ回転防止手段を装備した。
【特許文献１】特開２０００−２２４４４９号公報
【考案の開示】
【考案が解決しようとする課題】
【０００３】
潜水させた水中カメラと船上に据え付けたモニターテレビを伝送路で接続し、人間が潜らなくても水中を観察することを可能にした水中カメラである。一度カメラを潜水させた時には視界はその周辺３乃至５ｍに限られ、別の場所を見る時には一度潜水させた水中カメラを船上に引き上げ、観察しようとする場所まで船を移動して、再度水中カメラを吊るし下げなければならないという煩雑さがあった。
【課題を解決するための手段】
【０００４】
本考案は人間が潜水する必要がなく水中の観察が可能で、場所を変えての撮影時に一度潜水させたカメラを船上に引き上げる必要がない水中カメラであるが、従来の水中カメラは有視界範囲が狭く移動の度に潜水させたカメラを船上に引き上げるという煩雑さのために実用に不満があり不便であったがこれらの点を改善した考案である。
【考案の効果】
【０００５】
この考案はその煩雑さを解消し、船を走らせながら広範囲に渡っての観察を可能にしたものである。
【産業上の利用可能性】
【０００６】
本考案の水中カメラは市販されている水中カメラに容易に着脱可能であり、この考案により海難事故行方不明者の捜索及び漁業者が最良の漁場を確定し漁具を装備する際の効率性が高まる。
【図面の簡単な説明】
【０００７】
【図１】水中カメラ舵装置の平面図である。
【図２】水中カメラ舵装置の立体図である。
【図３】水中カメラ舵装置の実施方法を示した全体図である。
【符号の説明】
【０００８】
１  走行時水中カメラの方向を保持する舵
２  水中カメラ本体
３  走行時水中カメラ本体の揺れを止める固定ロープ
４  ライト
５  カメラレンズ
６  カメラを沈める重り
７  竹竿
８  モニターテレビ
【図１】
0003148204.tif 000003
【図２】
0003148204.tif 000004
【図３】
0003148204.tif 000005
(57)【要約】【課題】  着席時の下半身の保温を促進する、膝掛け一体型カイロポケット付きロングクッションを提供する。【解決手段】  椅子用のクッションを足元まで延長し、脹脛にあたる部分にカイロポケットを設け、ロングクッション片側に膝掛けを付けた、着席時における下半身の保温を促進する、膝掛け一体型カイロポケット付きロングクッション。【選択図】図１
0003148244.tif 000002
【実用新案登録請求の範囲】
【請求項１】
椅子用のクッションを足元まで延長し、脹脛にあたる部分にカイロポケットを設け、クッション片側に膝掛けを付けた、着席時における下半身の保温を促進する、膝掛け一体型カイロポケット付きロングクッション。
【考案の詳細な説明】
【技術分野】
【０００１】  本考案は、着席時における下半身の保温を促進する、膝掛け一体型カイロポケット付ロングクッションに関するものである。
【背景技術】
【０００２】  従来、着席時の保温対策は、着席部のみのクッションと膝掛けを別々に使用していた。
【考案の開示】
【考案が解決しようとする課題】
【０００３】  そのために、次のような問題点があった。
（イ）着席部のみのクッションでは、暖房を強くしても下半身の冷えが解消されなかった。
（ロ）膝掛けを使用すると立席、着席の際、始末が面倒でスムースにいかなかった。
本考案は以上の問題点を解決しようとするものである。
【課題を解決するための手段】
【０００４】  上記問題点を解決するため本考案は、椅子用のクッションを足元まで延長し、延長した脹脛部分にカイロポケットを設け、クッション片側に膝掛けを付け、椅子に固定するためと収納のためのゴムとボタンを取り付け、クッションの着席部裏面に滑り止めを付けたものである。
【考案の効果】
【０００５】  本考案は、足元まで延長したロングクッションとカイロ、一体型とした膝掛けにより、着席時の下半身の保温促進につながり、無駄な熱エネルギーを削減することができる。
また、今まで面倒だった膝掛けの始末がスムースになる。
【考案を実施するための最良の形態】
【０００６】  以下、本考案の実施の形態を説明する。
（イ）椅子用ロングクッション（１）を設ける。
（ロ）脹脛にあたる部分に、カイロポケット（２）を設ける。
（ハ）椅子用ロングクッション片側に、膝掛け（３）を付ける。
（ニ）椅子用ロングクッション裏面座席部に、滑り止め（４）を付ける。
（ホ）椅子への固定と収納用のゴム（５）と、ボタン（６）を付ける。
上記のような構成からなる本考案を実際に使用する場合は、ロングクッションを椅子着席部にゴムとボタンで固定し、カイロポケットにカイロを入れ着席し、ひざ掛けをかけ、下半身を暖める。
【図面の簡単な説明】
【０００７】
【図１】本考案の使用状態を示す斜視図
【図２】本考案の表面図
【図３】本考案の裏面図
【符号の説明】
【０００８】１    ロングクッション
２    カイロポケット
３    ひざ掛け
４    滑り止め
５    取り付けゴム
６    ボタン
【図１】
0003148244.tif 000003
【図２】
0003148244.tif 000004
【図３】
0003148244.tif 000005
(57)【要約】      （修正有）【課題】賞状の取り出し容易なる賞状保管用筒体を提供する。【解決手段】有底の外筒１と外筒に内接固着するとともに外筒より長い内筒２を設けて以上の構成による主体３を形成し、該内筒に嵌挿可能なる有底の蓋体４を設け、内筒に蓋体を嵌挿した場合において、外筒底部から内筒端までの距離Ａと、内筒端から蓋体底部までの距離Ｂとの比較において、Ａ／Ｂの値を２．５〜５．０としてなる主体と蓋体との組み合わせとする。【選択図】図５
0003148273.tif 000002
【実用新案登録請求の範囲】
【請求項１】
有底の外筒と外筒に内接固着するとともに外筒より長い内筒を設けて以上の構成による主体を形成し、該内筒に嵌挿可能なる有底の蓋体を設け、内筒に蓋体を嵌挿した場合において、外筒底部から内筒端までの距離Ａと、内筒端から蓋体底部までの距離Ｂとの比較において、Ａ／Ｂの値を２．５〜５．０としてなる主体と蓋体との組み合わせよりなることを特徴とする賞状保管用筒体。
【考案の詳細な説明】
【技術分野】
【０００１】  この考案は、賞状等を収納保管するための筒体に関する。
【背景技術】
【０００２】  従来より、賞状等を収納保管するための筒体が多用されているが、そのいずれも賞状を収納したときに賞状は内筒端より内部に位置するものであり、本案にて示すように、賞状端が内筒より露出するものは現在のところ見あたらない。
【考案の開示】
【考案が解決しようとする課題】
【０００３】  賞状を保管するとき、その保護のために筒形容器が多用されている。この筒形容器は賞状サイズに合わせて数種類が存在し、使い分けられている。この筒形容器は、所定長の有底筒体に内接固着される内筒を有し、この内筒は外筒より長く形成されている。また、この内筒に適度の嵌合状態にて嵌挿可能であるとともに、外筒と同外径有底の蓋体を有し、この嵌挿時において、蓋体底部と内筒端は適度の距離を有するよう形成されている。
通常、挿入すべき賞状を筒状に丸めてこの内筒に挿入するが、この賞状端は内筒内に位置する。賞状を取り出すときは外筒を手に持って振り出すのであるが、使用初期においては賞状に加えられた巻き癖は弱く、常に広がろうとする性質を有し、賞状は内筒に押圧接触している。そのため、賞状を振り出すのが難しく、またこの振り出し以外に有効な手段は見あたらない。別法としては、賞状を丸めてから輪ゴムをかけることにて賞状外径を内筒内径より小に保ち、振り出しを容易にする手段があるが、余分な手間を有し、また長期保管では輪ゴムが劣化して切れてしまうことがある。
本案は、以上のような従来からの賞状保管用の筒体に関わる課題を解決するために考案されたもので、賞状収納時において、常に賞状端を内筒より露出させることにて賞状の取り出しを容易ならしめる新規かつ有用なる物品を提供することを目的としたものである。
【課題を解決するための手段】
【０００４】  課題を解決する手段として本案は以下の構成とした。
すなわち、有底の外筒と外筒に内接固着するとともに外筒より長い内筒を設けて以上の構成による主体を形成し、該内筒に嵌挿可能なる有底の蓋体を設け、内筒に蓋体を嵌挿した場合において、外筒底部から内筒端までの距離Ａと、内筒端から蓋体底部までの距離Ｂとの比較において、Ａ／Ｂの値を２．５〜５．０としてなる主体と蓋体とを組み合わせる。
本案は以上の構成よりなる賞状保管用筒体である。
【考案の効果】
【０００５】  本案によれば、賞状を丸めて内筒に挿入したとき、Ａ寸法を適宜に選択することにより、賞状端は内筒端より適当長露出するので、この賞状端をつまんで引き出すことができ、従来品にありがちな課題を解消することのできる有用なる物品を得ることができる。
また、Ａ寸法に対しＢ寸法は所定範囲内の比率を有し、賞状端に対する蓋体底部の接触の可能性を排除することができる。
【考案を実施するための最良の形態】
【０００６】  以下、本考案の実施形態について説明する。
図において、１は外筒で、所定長の紙製筒体であって、その一端を内方に湾曲させるとともに、この湾曲部内部に円形の平板が固着される。２は内筒で、外筒よりやや長い紙製筒体であり、その外径は外筒内径とほぼ等しく、その一端を前記平板に接して外筒内に固着され、以上の構成にて主体３が形成される。４は蓋体で、外筒と同様構成の有底筒体であり、内筒に嵌挿可能である。図５におけるＡは外筒端から内筒端までの距離を表し、Ｂは蓋体を嵌挿したときにおける蓋体底部から内筒端までの距離を表している。
このとき、Ａ／Ｂの値は２．５〜５．０が適当である。例えば、Ａ３サイズに近似サイズの賞状は縦３０６ｍｍ横４３６ｍｍほどである。本案品のＡ寸法を２８０ｍｍを選択したとき、Ｂの範囲は１１２ｍｍ〜５６ｍｍとなる。従って、この賞状を内筒に収納したとき、賞状端は２６ｍｍほど内筒より露出し、外筒端から賞状端までの距離は約３０６ｍｍである。また、Ｂはこの２６ｍｍより大であるため、賞状端に蓋体底部が当たることはない。上記賞状サイズの場合、Ａ寸法の範囲は２８０ｍｍ〜２６０ｍｍが適当である。【０００７】  本案を使用するには、まず主体より蓋体を取り外し、賞状を内筒内径より小径に丸めて内筒内に挿入する。このとき、賞状端が主体底部に接する位置まで挿入する。
この状態において、既述の寸法比から賞状端は内筒端より突出している。そして蓋体を内筒に嵌挿して保管する。賞状を取り出すには、まず蓋体を主体から取り外し、露出している賞状端をつまんで抜き出す。再収納のときは、上記手段にて容易に行うことができる。
以上、本案について記したが、本案は主体と蓋体を所定範囲内比率にて構成するところにその特徴を有し、主体寸法を適宜に選択することにて賞状端は常に内筒端より所定範囲内寸法が露出するので、これをつまんで容易に引き出すことのできるものである。
従来品は既述のように、賞状の全部分が内筒内に位置し、その取り出しが困難な場合があったが、本案にてこれが解決できるものとなったのである。なお、既述の例は実施の一例であり、近似の他の構成としてもよい。なお、賞状サイズに対し、Ａ寸法およびＡ／Ｂの比を適宜に選択することが肝要である。以上のごとく、本案によって賞状の取り出し容易なる賞状保管用の筒体を提供することができる。
【図面の簡単な説明】
【０００８】
【図１】  従来品の正面図
【図２】  従来品の左側面図
【図３】  従来品の主体正面図
【図４】  本考案の正面図
【図５】  本考案の主体正面図
【図６】  本考案の蓋体の内部構造説明図
【図７】  本考案の主体の内部構造説明図
【符号の説明】
【０００９】１  外筒
２  内筒
３  主体
４  蓋体
５  賞状
Ａ  外筒端から内筒端までの距離
Ｂ  蓋体を嵌挿したときにおける蓋体底部から内筒端までの距離
【図１】
0003148273.tif 000003
【図２】
0003148273.tif 000004
【図３】
0003148273.tif 000005
【図４】
0003148273.tif 000006
【図５】
0003148273.tif 000007
【図６】
0003148273.tif 000008
【図７】
0003148273.tif 000009
(57)【要約】      （修正有）【課題】婦人服にブラジャーのストラップ・ホールド・ユニットを取り付け、ブラジャーのストラップが首の開口部分から、はみ出す事を皆無にできる婦人服を提供する。【解決手段】婦人服５，６の首の開口部、左右各々の肩に近い上の方にブラジャーのストラップ・ホールド・ユニット１を取り付け、婦人服５，６を着用する際、ブラジャーのストラップ２をストラップ・ホールド・ユニット１に通しておく事により、ストラップ２が左右に大きく動く事が無く、ストラップ２が首の開口部分からはみ出す事がなくなる。【選択図】図１
0003148280.tif 000002
【実用新案登録請求の範囲】
【請求項１】
婦人服の、首の開口の左右の裏側に、ブラジャーのストラップが動いて、服からはみ出さないようにする為のストラップ・ホールド・ユニットを取り付け、服を着用する時に、ブラジャーのストラップをこのホールド・ユニットに通して固定し、ブラジャーのストラップが服からはみ出さないようにした婦人服。
【考案の詳細な説明】
【技術分野】
【０００１】  本考案は、首元の大きく開いた服、タンクトップの服を着ても、ブラジャーのストラップが服の外にはみ出さない婦人服に関するものである。
【背景技術】
【０００２】  従来、女性は、婦人服の首元の開いた部分から、ブラジャーのストラップがはみ出すことがよくあり、殆どの女性がこれに困っていた。
【考案の開示】
【考案が解決しようとする課題】
【０００３】  婦人服は、首の開口から、運動などでブラジャーのストラップがはみ出すことがある。特に開口の大きい場合やタンクトップの場合はなおさらである。これを解決しようと言うものである。
【課題を解決するための手段】
【０００４】  本考案は、婦人服の、首の開口部の左右の肩に近い上に方の裏側に、ブラジャーのストラップを通し、左右に動かない様にする、ストラップ・ホールド・ユニットを取り付け、服を着用する際、そのストラップ・ホールド・ユニットに、ブラジャーのストラップを、左右それぞれ通しておく。それによって、ブラジャーのストラップが首の開口部（服の外）へはみ出して来ることがない。
【考案の効果】
【０００５】  上述のように、本考案のストラップ・ホールド・ユニットを取り付けた婦人服は、どんなに動いても、ブラジャーのストラップが、はみ出す事がなく、女性が快適に自信を持って心身共に伸び伸びと活動する事が出来る。特に、接客業の女性にとっては素晴らしい朗報となる。
【考案を実施するための最良の形態】
【０００６】  婦人服の下に着用した、ブラジャーのストラップを、服の首の開口部の左右の肩に近い上の方の裏側に取り付けた、ストラップ・ホールド・ユニットに、服を着用する際、通し、ストラップが左右に動かないようにする事による。
【実施例】
【０００７】  以下、添付図面に従って実施例を説明する。図１は一般的な婦人服とタンクトップ、ストラップ・ホールド・ユニット。１はプラスティックやビニール等で作られた、ストラップ・ホールド・ユニットで、このユニットは天面がメッシュになっていて、ここに糸を通し、婦人服の服地の、裏地又は生地に糸で縫い付けられる様になっている。このストラップ・ホールド・ユニットを、婦人服の首の開口部の左右の、肩に近い上の方の裏側に縫い付けておく。この様に作った婦人服を着用する時、ブラジャーのストラップ部２を、左右各々このストラップ・ホールド・ユニット１に通す。すると、ホールド・ユニット１によって、運動してもストラップ２が左右に大きく動く事は無く、ブラジャーのストラップ２が、首の開口部分から、はみ出して来る事は無い。又、ストラップ・ホールド・ユニット１の、ストラップ２を通す為の開口部３は、ストラップ２の幅より狭く、ストラップ２が自然に抜け出す事は無い。図１中の４はブラジャーのカップ部、５は一般的な婦人服、６はタンクトップの婦人服である。【０００８】  図２は、ストラップ・ホールド・ユニットを、婦人服に縫い付けるではなく、服の表地７と裏地８の間に、裏地８に設けたスリット９から、ストラップ・ホールド・ユニット１０の左右に板状に作った止め部分１１を挟み込み固定する方法である。
【図面の簡単な説明】
【０００９】
【図１】本考案のブラジャーのストラップ・ホールド・ユニットと婦人服、ブラジャーを着用した時の図である。
【図２】婦人服に縫い付けないストラップ・ホールド・ユニットの場合の図である。
【符号の説明】
【００１０】  １    ストラップ・ホールド・ユニット
２    ブラジャーのストラップ
３    ストラップ・ホールド・ユニットの開口部
４    ブラジャーのカップ部
５    一般的な婦人服
６    タンクトップの婦人服
７    服の表地
８    服の裏地
９    スリット
１０  婦人服に縫い付けない方式のストラップ・ホールド・ユニット
１１  止め部分
１２  ストラップの断面
【図１】
0003148280.tif 000003
【図２】
0003148280.tif 000004
(57)【要約】      （修正有）【課題】昼夜頻繁に尿意を催す人、体の不自由な人、また寝たきりの病人は尿排出時に姿勢を問わず対応出来て取扱いが便利な尿器を提供する。【解決手段】排尿受け口を女性の局部に適合するよう形成し、且つ、その縁部にちり紙９を付すことで吸収され尿漏れを防止する。また排尿受部は全体がおよそ漏斗状に形成されておりその筒部に尿を収納する袋体を装着するためのリブの係止部が形成されている。また袋体の口部はジッパーで開閉し中には尿をゼリー化する吸水剤１０を収納してある。【選択図】図５
0003148276.tif 000002
【実用新案登録請求の範囲】
【請求項１】
排尿受部筒体にリブを形成し、ジッパー付袋の中に排尿受の筒体を挿入してその袋口をリブの上方で筒体に巻きつけその上から環状クリップで押さえるようにした携帯用排尿器。
【考案の詳細な説明】
【技術分野】
【０００１】本考案は携帯用排尿器に関する。
【技術背景】
【０００２】実開昭５７−１２６２２８号公報
実用新案登録第３０１０８１５号公報
実開平６−２９６７８０号公報
特開平８−３３５８９号公報
【考案が解決しようとする課題】
【０００３】旅行、自動車、ボートの操縦中に尿意を催した時、排尿する場所がなく困ることがある。また昼夜頻繁に尿意を催す人、体の不自由な人、また寝たきりの病人は尿排出時に姿勢を問わず対応出来て取扱いが便利な尿器が要求される。
【課題を解決するための手段】
【０００４】この考案は上記実情に鑑み、尿受け口を湾曲型に形成するとともに、その縁部に沿ってＵ字溝が形成してある。また排尿受け口は女性の局部に適合するよう前後をそらせてある。そしてこの排尿受部は全体を漏斗状に形成し、その筒部には袋体を装着して係止させるためのリブが形成されてある。また尿収納部はポリエチレン等の合成樹脂からなり、ジッパー付き袋体で中には吸水剤が収納されている。
【０００５】一方、文献として実用新案第３０１０８１５号公報で示すような排尿用ホッパーと袋体を結合された考え方が種々開示されているが何れも取扱いが面倒で誰にでも容易とは云い難い。そこで本出願人は排出時の取扱い容易さを目的として、特に女性に適した尿器を提案したのである。
【０００６】前述したように排尿受け口を女性の局部に適合するよう形成し、且つ、その縁部にちり紙を付すことで吸収され尿漏れを防止する。また排尿受部は全体がおよそ漏斗状に形成されておりその筒部に尿を収納する袋体を装着するためのリブの係止部が形成されている。また袋体の口部はジッパーで開閉し中には尿をゼリー化する吸水剤を収納してある。
【０００７】上記したように排尿時には縁部に形成したＵ字溝に沿って、例えばちり紙を数枚折りたたみ巻き付け、その上から輪ゴムをＵ字溝に合わせて係止するのである。そして尿収納する袋のジッパーを開き、口部を筒部に形成してあるリブより少し上まで挿入して袋体の口部を筒に巻き付け、リブの少し上の筒部に金属、または合成樹脂で作られた環状型クリップの伸縮性を利用して袋口を締めつけることにより袋体は筒部のリブから脱落することはない。本考案はこの様な構成からなるため、排尿が済めばクリップをはずして、ジッパーの袋口を閉めゴミとして廃棄すればよい。また、排尿は２、３回の使用が出来、排尿後５、６秒でゼリー化するため取り扱い易い。また、袋体は予備として備えておくと役に立つ。
【考案の効果】
【０００８】この考案によれば手軽なため排尿受部を手に持ち、自在に縁部に施したちり紙の吸収で自分で調節が出来るために尿漏れの防止と合間って尿の漏れがなく、すべて尿は袋体に入れてある吸収剤により、数秒間でゼリー化するのでまた排尿が終わった後は袋を締めつけている環状型クリップを取り除き、袋体のジッパーを閉じてゴミとして廃棄する。また不使用の時、排尿受部は蓋が篏合されている。
【産業上の利用可能性】
【０００９】以上要するに排尿受部と尿収納部からなり、尿収納袋は２、３回の使用が出来、携帯用尿器としてもきわめて小型であり、袋やカバンの中、また自動車の座部の下に置いて使用出来製作費がきわめて安価である。
【図面の簡単な説明】
【００１０】
【図１】排尿受部全体
【図２】袋体に吸水剤を入れた状態
【図３】排尿受部に形成されたリブを袋口部に挿入した状態
【図４】袋を止める環状部材
【図５】排尿受部を袋体に挿入して環状部材で止めた状態
【図６】湾曲Ｕ字溝に吸水紙の取り付け方
【符号の説明】
【００１１】▲１▼は排尿受部の全体
▲２▼は排尿受口
▲３▼はちり紙を取り付けるＵ字溝
▲４▼は袋体を係止するためのリブ
▲５▼は袋体
▲６▼はジッパー
▲７▼は吸水剤
▲８▼はクリップ
▲９▼はちり紙
▲１０▼は吸収剤
【図１】
0003148276.tif 000003
【図２】
0003148276.tif 000004
【図３】
0003148276.tif 000005
【図４】
0003148276.tif 000006
【図５】
0003148276.tif 000007
【図６】
0003148276.tif 000008
(57)【要約】      （修正有）【課題】見えない死角に当たる方角もデジタル液晶画面で確認することができ、安全な運転ができるようになる装置を提供する。【解決手段】見えない死角に当たる場所を見る装置で、現在使用されているバックミラーの代替えとして、後方からの車の走行を見届ける装置でデジタル液晶画面を設置してデジタルカメラやデジタルビデオの機能を持ち、現在のバックミラーも設置して、切り替えて好む方を利用できる装置である。【選択図】図１
0003148269.tif 000002
【実用新案登録請求の範囲】
【請求項１】
見えない死角に当たる場所を見る装置で、自動車、鉄道、船舶、その他の運転席から、右側斜め前方が見えない死角、運転手から見えない左側の死角、これを解消するために、死角に当たる外側にレンズを装置し、死角に当たる内側に、デジタル液晶画面を装置してデジタルカメラやデジタルビデオ、の機能を持たせる装置、
【請求項２】
見えない死角に当たる場所を見る装置で、現在使用されている、バックミラーの代替えとして、後方からの車の走行を見届ける装置でデジタル液晶画面を装置してデジタルカメラやデジタルビデオの機能を持ち、現在のバックミラーも装置して、切り替えて、好む方を利用できる装置、
【考案の詳細な説明】
【技術分野】
【０００１】本考案は、自動車、鉄道、船舶、その他で利用されているバックミラーの改良に関する。
【背景技術】
【０００２】従来の、自動車、鉄道、船舶、その他で、利用されているバックミラーは人間の目で鏡の反射を利用して採用されていた。
【考案の開示】
【０００３】
【考案が解決しょうとする課題】
【０００４】ところが、従来から提供されている、鏡を利用したバックミラーでは死角に当たる方角は見る事が出来なかった、死角が無い安全な確認の方法が所望されていた。
【課題を解決するための手段】
【０００５】本考案は上記目的を達成するために、運転手からみて死角に当たる方角の外側に、レンズを装置し、死角に当たる内側に、デジタル液晶画面を装置してデジタルカメラやデジタルビデオ、の機能を持たせる事で解決し、安全な運転を提供することを可能にした。
【０００６】
【考案の効果】
【０００７】上記した本考案によれば、見えない死角に当たる方角も液晶画面で確認出来るので安全な運転が出来るようになり、提供する事が可能になった。
【考案を実施するための最良の形態】
【０００８】以下、本考案の好ましい実施の形態につき、図面を参照し具体的に説明する。
【実施例】
【０００９】図１は、本考案に係る見取り図で運転手から見て、右側斜め前方に見えない死角に当たる部分があり点線で示す、点線の死角に当たる外側にレンズを装置し、点線の死角に当たる内側にデジタル液晶画面を装置する。【００１０】左側斜め前方に見えない死角に当たる部分があり点線で示す、点線の死角に当たる外側にレンズを装置し、点線の死角に当たる内側にデジタル液晶画面を装置する。【００１１】バックミラー後方車の確認をする、従来の折りたたみ式を利用し、又、レンズを装置し、後方車の確認をデジタル液晶画面で確認する、切り替える事により、どちらも利用できる。デジタル液晶画面を中央部の適当な場所に移し、運転手から見て最適なバランスに配置出来ることは言うまでもない。
【産業上の利用分野】
【００１２】本考案に係る、見えない死角の外を見る装置は、自動車、二輪車オートバイ、船舶用、航空機用、その他、あらゆる産業用の装置として用いる事が可能である。
【図面の簡単な説明】
【００１３】
【図１】は本考案に係る具体例を上から見た説明図である示す。自動車の場合を例にとって説明する。
【符号の説明】
【００１４】１：レンズ２：デジタル液晶画面３：バックミラー４：人の目の位置５：座席６：前輪のタイヤ
【図１】
0003148269.tif 000003
(57)【要約】      （修正有）【課題】身体の足の部分から腰の部分までを温める炬燵を提供する。【解決手段】背もたれ部と炬燵を一体としてカプセル型の炬燵にする。１は炬燵部であり、２は入口部である。入口部から身体を炬燵に入れ外気にふれる部分は毛布等で覆う。身体の足の部分から腰の部分を温め、一人又は複数人入る事ができる。【選択図】図１
0003148267.tif 000002
【実用新案登録請求の範囲】
【請求項１】
身体の足の部分から腰の部分をおおい、一人又は複数人入る事のできるカプセル型にした炬燵。
【考案の詳細な説明】
【技術分野】
【０００１】  本考案は、炬燵に関するものである。
【背景技術】
【０００２】  従来は、単に足の部分を加温するものだった。
【考案が解決しようとする課題】
【０００３】  身体の足の部分から腰の部分までを加温しようとするものである。
【課題を解決するための手段】
【０００４】  背もたれと炬燵部分を一体型としてカプセル形態にする。
【考案の効果】
【０００５】  身体の足の部分から腰の部分までを加温できる。
【考案を実施するための最良の形態】
【０００６】  外気を極力炬燵内に入らないようにするため入口部位外は塞ぐ。
【実施例】
【０００７】  以下、添付図面に従って実施例を説明する。１は炬燵部であり、２は入口部であります。入口部から身体を炬燵に入れ外気にふれる部分は毛布等で全身を覆う。
【図面の簡単な説明】
【０００８】
【図１】本考案の実施例を示す俯瞰図である。
【符号の説明】
【０００９】  １  炬燵部
２  入口部
【図１】
0003148267.tif 000003
(57)【要約】      （修正有）【課題】創作するダイスパズルを提供する。【解決手段】３〜５ミリ角、長さ２５ミリで、両端が半球状の角軸を中心に持つミニ丸独楽と、角軸を密着して差し込める角孔を各面に持つダイスとから成り、ダイス同士を前記ミニ丸独楽で繋いで出来たブロック片を組み合わせて作る。【選択図】図１
0003148266.tif 000002
【実用新案登録請求の範囲】
【請求項１】
３〜５ミリ角、長さ２５ミリで、両端が半球状の角軸を中心に持つミニ丸独楽と、角軸を密着して差し込める角孔を各面に持つダイスとから成り、ダイス同士を前記ミニ丸独楽で繋いで出来たブロック片を組み合わせて作るゲーム具。
【考案の詳細な説明】
【技術分野】
【０００１】ゲーム具に属する。
【背景技術】
【０００２】従来よりブロックパズルはあった。
【考案の開示】
【考案が解決しようとする課題】
【０００３】従来のパズルは、自分で創作するものが少なかった。
【課題を解決するための手段】
【０００４】本考案は、ダイス同士をミニ独楽で繋いだダイスパズルである。
【考案の効果】
【０００５】組み立てが簡単で、自由に創作できる。【０００６】創作作品を幾つかに分割したブロック片でダイスパズルが提供できる。【０００７】ブロック同士の継ぎ目が露出しないのが最大の特徴である。【０００８】創作ダイスパズルを提供することによって新たな快感を味わうことが出来る。【０００９】脳を活性化させ、リハビリにも有効である。
【考案を実施するための最良の形態】
【００１０】ダイス同士を、ミニ独楽で繋だ創作ダイスパズルである。
【実施例】
【００１１】ダイス１は、各面に角軸２を密着しながら差し込める大きさの角孔４をもつ。【００１２】ミニ丸独楽３は、３〜５ミリ角、長さ２５ミリで両端が半球状の角軸２を中心にもつ。【００１３】角孔４の四辺は、ダイス１各面の四辺に平行で、中心部を貫通している。【００１４】ダイス１の各面に、ミニ丸独楽３を角孔４に差し込んだとき半身が埋まる深さの丸凹み５をもつ。【００１５】ダイス１を連結させるには、双方の角孔４に角軸２を差し込んで連結させる。【００１６】ブロック片６は、連結されたダイスである。【００１７】パズルは、ブロック片６で組み立てられた完成形を崩して、再度復元させるゲームである。
【産業上の利用可能性】
【００１８】製作が容易である。
【図面の簡単な説明】
【００１９】
【図１】本考案の、ダイスの斜視図。
【図２】本考案の、ダイスの透視平面図
【図３】本考案の、ミニ独楽の斜視図
【図４】本考案の、創作例（トラック）のブロック片を示す平面図
【符号の説明】
１ダイス
２角軸
３ミニ独楽
４角孔
５丸凹み
６ブロック片
７ブロック片境界線
【図１】
0003148266.tif 000003
【図２】
0003148266.tif 000004
【図３】
0003148266.tif 000005
【図４】
0003148266.tif 000006